(57)【要約】【課題】施工時の機器の設置状況の確認を簡易に行うことができる管理システム、設計管理システム、管理方法及びプログラムを提供する。【解決手段】管理システム１の処理部１０４は、複数の設計用位置情報と複数の設置用位置情報とに基づいて複数の設置用機器のそれぞれの設置位置が正当であるか否かの判断、及び複数の設計用種別と複数の設置用種別とに基づいて複数の設置用機器のそれぞれの種別が正当であるか否かの判断を行う。複数の設置用位置情報のそれぞれは、対応する設置用機器と通信可能な他の設置用機器に関する機器情報、及び対応する設置用機器と他の設置用機器との通信に関する通信情報を含む。【選択図】図１
2020167090.tif 000002
【特許請求の範囲】
【請求項１】
対象空間に設置される複数の設計用機器のそれぞれについて当該設計用機器の設置予定位置を表す設計用位置情報、及び前記複数の設計用機器のそれぞれの設計用種別を含む設計データを取得する第１取得部と、
前記対象空間で設置された複数の設置用機器のそれぞれから、当該設置用機器の設置用位置情報、及び当該設置用機器の設置用種別を含む照明機器データを取得する第２取得部と、
複数の前記設計用位置情報と複数の前記設置用位置情報とに基づいて前記複数の設置用機器のそれぞれの設置位置が正当であるか否かの判断、及び複数の前記設計用種別と複数の前記設置用種別とに基づいて前記複数の設置用機器のそれぞれの種別が正当であるか否かの判断を行う処理部と、を備え、
前記複数の設置用位置情報のそれぞれは、対応する設置用機器と通信可能な他の設置用機器に関する機器情報、及び対応する前記設置用機器と前記他の設置用機器との通信に関する通信情報を含む、
管理システム。
【請求項２】
前記通信情報は、前記他の設置用機器との通信時における受信信号強度であり、
前記処理部は、
前記受信信号強度に基づいて前記設置用機器と前記他の設置用機器との配置位置を決定し、
前記設計用機器の設計用位置情報が表す設定予定位置と、決定した前記配置位置とに基づいて、前記設置用機器の設置位置の正当性を確認する、
請求項１に記載の管理システム。
【請求項３】
前記複数の設計用機器のそれぞれに対して、当該設計用機器の代替となる1つ以上の代替機器の種別を取得する第３取得部を、更に備え、
前記処理部は、
前記設計用種別と前記設置用種別とが同一でない場合には、前記複数の設計用機器のうち前記設計用種別で表される設計用機器に対応する前記１つ以上の代替機器の種別のいずれか１つの代替機器の種別と前記設置用種別とが一致するときには、前記設置用種別は正当であると判断する、
請求項１又は２に記載の管理システム。
【請求項４】
前記設計データは、前記複数の設計用機器の各々について当該設計用機器を制御するための制御データを含み、
前記処理部は、
前記複数の設置用機器のうち設置位置及び種別が正当であると判断された設置用機器に対して、前記設置用機器の設置位置及び種別が正当であるとの判断に用いられた設計用機器の制御データを取得し、
取得した制御データを設置位置及び種別が正当であると判断された前記設置用機器に送信する、
請求項１〜３のいずれか一項に記載の管理システム。
【請求項５】
機器制御部を、更に備え、
前記処理部は、
前記複数の設置用機器のうち設置位置及び種別が正当であると判断された設置用機器に対して、前記設置用機器の設置位置及び種別が正当であるとの判断に用いられた設計用機器の制御データを取得し、
前記機器制御部は、
前記処理部が取得した制御データを用いて、設置位置及び種別が正当であると判断された前記設置用機器を制御する、
請求項１〜４のいずれか一項に記載の管理システム。
【請求項６】
前記処理部の処理結果に関する結果情報を通知する通知部を、更に備える、
請求項１〜５のいずれか一項に記載の管理システム。
【請求項７】
請求項１〜６のいずれか一項に記載の管理システムと、
前記設計データを記憶するサーバと、を備える、
設計管理システム。
【請求項８】
対象空間に設置される複数の設計用機器のそれぞれについて当該設計用機器の設置予定位置を表す設計用位置情報、及び前記複数の設計用機器のそれぞれの設計用種別を含む設計データを取得する第１取得ステップと、
前記対象空間で設置された複数の設置用機器のそれぞれから、当該設置用機器の設置用位置情報、及び当該設置用機器の設置用種別を含む照明機器データを取得する第２取得ステップと、
複数の前記設計用位置情報と複数の前記設置用位置情報とに基づいて前記複数の設置用機器のそれぞれの設置位置が正当であるか否かの判断、及び複数の前記設計用種別と複数の前記設置用種別とに基づいて前記複数の設置用機器のそれぞれの種別が正当であるか否かの判断を行う処理ステップと、を含み、
前記複数の設置用位置情報のそれぞれは、対応する設置用機器と通信可能な他の設置用機器に関する機器情報、及び対応する前記設置用機器と前記他の設置用機器との通信に関する通信情報を含む、
管理方法。
【請求項９】
コンピュータに、請求項８に記載の管理方法を実行させるためプログラム。
【発明の詳細な説明】
【技術分野】
【０００１】
本開示は、一般に管理システム、設計管理システム、管理方法及びプログラムに関し、より詳細には機器の設置状況を管理する管理システム、設計管理システム、管理方法及びプログラムに関する。
【背景技術】
【０００２】
従来、照明装置をより効率よく点灯制御する技術が知られている（例えば、特許文献１参照）。
【０００３】
特許文献１では、複数のＬＥＤ照明装置の各々に割り当てられた第１属性ごとに、複数のＬＥＤ照明装置の点灯状態を制御する。
【先行技術文献】
【特許文献】
【０００４】
【特許文献１】特開２０１７−２２０５８号公報
【発明の概要】
【発明が解決しようとする課題】
【０００５】
照明装置（機器）を点灯制御（制御）するためには、正しい照明装置が正しい位置に設置されている必要がある。ところで、設置状況の確認は、施工時に作業者が目視を行っている。
【０００６】
本開示は上記課題に鑑みてなされ、施工時の機器の設置状況の確認を簡易に行うことができる管理システム、設計管理システム、管理方法及びプログラムを提供することを目的とする。
【課題を解決するための手段】
【０００７】
本開示の一態様に係る管理システムは、第１取得部と、第２取得部と、処理部と、を備える。前記第１取得部は、対象空間に設置される複数の設計用機器のそれぞれについて当該設計用機器の設置予定位置を表す設計用位置情報、及び前記複数の設計用機器のそれぞれの設計用種別を含む設計データを取得する。前記第２取得部は、前記対象空間で設置された複数の設置用機器のそれぞれから、当該設置用機器の設置用位置情報、及び当該設置用機器の設置用種別を含む照明機器データを取得する。前記処理部は、複数の前記設計用位置情報と複数の前記設置用位置情報とに基づいて前記複数の設置用機器のそれぞれの設置位置が正当であるか否かの判断、及び複数の前記設計用種別と複数の前記設置用種別とに基づいて前記複数の設置用機器のそれぞれの種別が正当であるか否かの判断を行う。前記複数の設置用位置情報のそれぞれは、対応する設置用機器と通信可能な他の設置用機器に関する機器情報、及び対応する前記設置用機器と前記他の設置用機器との通信に関する通信情報を含む。
【０００８】
本開示の一態様に係る設計管理システムは、前記管理システムと、前記設計データを記憶するサーバと、を備える。
【０００９】
本開示の一態様に係る管理方法は、第１取得ステップと、第２取得ステップと、処理ステップと、を含む。前記第１取得ステップは、対象空間に設置される複数の設計用機器のそれぞれについて当該設計用機器の設置予定位置を表す設計用位置情報、及び前記複数の設計用機器のそれぞれの設計用種別を含む設計データを取得する。前記第２取得ステップは、前記対象空間で設置された複数の設置用機器のそれぞれから、当該設置用機器の設置用位置情報、及び当該設置用機器の設置用種別を含む照明機器データを取得する。前記処理ステップは、複数の前記設計用位置情報と複数の前記設置用位置情報とに基づいて前記複数の設置用機器のそれぞれの設置位置が正当であるか否かの判断、及び複数の前記設計用種別と複数の前記設置用種別とに基づいて前記複数の設置用機器のそれぞれの種別が正当であるか否かの判断を行う。前記複数の設置用位置情報のそれぞれは、対応する設置用機器と通信可能な他の設置用機器に関する機器情報、及び対応する前記設置用機器と前記他の設置用機器との通信に関する通信情報を含む。
【００１０】
本開示の一態様に係るプログラムは、コンピュータに、前記管理方法を実行させるためプログラムである。
【発明の効果】
【００１１】
本開示によると、施工時の機器の設置状況の確認を簡易に行うことができる。
【図面の簡単な説明】
【００１２】
【図１】図１は、一実施形態に係る管理装置の構成を説明する図である。
【図２】図２は、同上の管理装置を備える設計管理システムのシステム構成を説明する図である。
【図３】図３は、同上の管理装置の動作を説明する図である。
【図４】図４Ａは、照明機器が設計通り配置された場合において同上の管理装置の動作の具体例を説明する図である。図４Ｂは、照明機器が設計とは異なって配置された場合において同上の管理装置の動作の具体例を説明する図である。
【図５】図５は、変形例１に係る管理装置の構成を説明する図である。
【発明を実施するための形態】
【００１３】
以下に説明する実施形態及び変形例は、本開示の一例に過ぎず、本開示は、実施形態及び変形例に限定されない。以下の実施形態及び変形例以外であっても、本開示に係る技術的思想を逸脱しない範囲であれば、設計等に応じて種々の変更が可能である。
【００１４】
（実施形態）
以下、本実施形態に係る管理システム１及び設計管理システム２について、図１〜図４Ｂを用いて説明する。
【００１５】
（１）概要
本実施形態に係る設計管理システム２は、管理システム１としての管理装置１０と、サーバ２０と、を備える。設計管理システム２は、複数の機器が設計通りに施設５に設けられているか否かを確認するシステムである。本実施形態では、複数の照明機器３０を施設５に設けられる複数の機器として説明する。なお、複数の照明機器３０を区別する場合には、照明機器３０ａ，３０ｂ，３０ｃと記す。本実施形態では、施設５は、オフィスビル又は事務所を想定している。しかしながら、施設５は、は集合住宅（マンション）又は戸建の住宅であってもよい。更に、施設５は、例えば、劇場、映画館、公会堂、遊技場、複合施設、飲食店、百貨店、学校、ホテル、旅館、病院、老人ホーム、幼稚園、図書館、博物館、美術館、地下街、駅、空港等であってもよい。
【００１６】
サーバ２０は、施設５に設けられる複数の照明機器３０についての設計データを記憶している。設計データは、複数の照明機器３０（設計用機器）のそれぞれについて、当該照明機器３０の種別（設計用種別）、設置場所の名称、設置予定位置を表す設計用位置情報、及び制御データを含む。
【００１７】
設計用位置情報は、複数の照明機器３０のそれぞれに対して、当該照明機器３０と、当該照明機器３０と同一空間に設置される予定の他の照明機器３０との距離を含む。例えば、照明機器３０ａ，３０ｂ，３０ｃが同一空間に設置されている場合には、設計用位置情報は、照明機器３０ａと照明機器３０ｂとの距離、照明機器３０ａと照明機器３０ｃとの距離及び照明機器３０ｂと照明機器３０ｃとの距離を含む。
【００１８】
制御データは、対応する照明機器３０の制御に関する情報を含む。例えば、制御データは、対応する照明機器３０についてのデフォルトの制御情報（デフォルト制御情報）、少なくとも１つのシーンに応じたシーン制御情報を含む。デフォルト制御情報及びシーン制御情報は、対応する照明機器３０の調光に関する設定値及び調色に関する設定値を含む。
【００１９】
管理装置１０は、サーバ２０が記憶する設計データと、施設５に設置された複数の照明機器３０から取得した配置に係る照明機器データとを基に、施設５に設置された複数の照明機器３０の正当性を判断する。ここで、照明機器データは、対応する照明機器３０が設置された位置に係る情報である設置用位置情報と、当該照明機器３０の種別（設置用種別）を含む。設置用位置情報は、対応する照明機器３０と通信可能な他の照明機器３０に関する機器情報、及び対応する照明機器３０と他の照明機器３０との通信に関する通信情報を含む。管理装置１０は、複数の設計用位置情報と複数の設置用位置情報とに基づいて複数の照明機器３０のそれぞれの設置位置が正当であるか否かの判断を行う。さらに、管理装置１０は、複数の設計用種別と複数の設置用種別とに基づいて複数の照明機器３０のそれぞれの種別が正当であるか否かの判断を行う。
【００２０】
以下の説明において、設置前の照明機器３０と設置後の照明機器３０とを区別するために、設置前の照明機器３０を設計用照明機器という。
【００２１】
（２）構成
（２−１）サーバ
サーバ２０は、例えばプロセッサ及びメモリを有するマイクロコンピュータを有している。そして、プロセッサがメモリに格納されているプログラムを実行することにより、マイクロコンピュータがサーバ２０として機能する。プロセッサが実行するプログラムは、ここではマイクロコンピュータのメモリに予め記録されているが、メモリカード等の非一時的な記録媒体に記録されて提供されてもよいし、インターネット等の電気通信回線を通じて提供されてもよい。
【００２２】
サーバ２０は、インターネット等のネットワークＮＴ１を介して管理装置１０と通信するための通信インタフェースを有している。
【００２３】
サーバ２０は、上述したように、施設５の対象空間に設けられる複数の照明機器３０（設計用照明機器）についての設計データを記憶している。さらに、サーバ２０は、複数の設計用照明機器のそれぞれについて、代替となる１つ以上の代替機器の種別（代替種別）及び制御データを記憶している。ここで、対象空間は、例えば施設５のリビングである。
【００２４】
（２−２）照明機器
照明機器３０は、他の照明機器３０及び管理装置１０と通信可能に構成されている。照明機器３０は、他の照明機器３０及び管理装置１０と無線による通信を行う。
【００２５】
照明機器３０は、他の照明機器３０と通信を行い、通信対象である他の照明機器３０の種別を含む信号を受信する。照明機器３０は、通信時における受信信号強度（Received Signal Strength Indicator：ＲＳＳＩ）を計測する。照明機器３０は、当該照明機器３０の種別である設置用種別を含む照明機器データであって、通信対象である複数の他の照明機器３０の種別とＲＳＳＩの値とを対応付けた照明機器データを、管理装置１０に送信する。
【００２６】
（２−３）管理装置
管理装置１０は、図１に示すように、第１通信部１１と、第２通信部１２と、制御部１３と、を備える。
【００２７】
管理装置１０は、例えばプロセッサ及びメモリを有するマイクロコンピュータを有している。そして、プロセッサがメモリに格納されているプログラムを実行することにより、マイクロコンピュータが管理装置１０として機能する。プロセッサが実行するプログラムは、ここではマイクロコンピュータのメモリに予め記録されているが、メモリカード等の非一時的な記録媒体に記録されて提供されてもよいし、インターネット等の電気通信回線を通じて提供されてもよい。
【００２８】
第１通信部１１は、ネットワークＮＴ１を介してサーバ２０及び情報端末４０と通信するための通信インタフェースを有している。
【００２９】
第２通信部１２は、複数の照明機器３０の各々と通信するための通信インタフェースを有している。第２通信部１２は、例えば無線通信により複数の照明機器３０の各々と通信する。
【００３０】
制御部１３は、図１に示すように、第１取得部１０１、第２取得部１０２、第３取得部１０３、処理部１０４、及び通知部１０５を備える。
【００３１】
第１取得部１０１は、対象空間に設置される複数の設計用照明機器のそれぞれについて当該設計用照明機器の設置予定位置を表す設計用位置情報、及び複数の設計用照明機器のそれぞれの設計用種別を含む設計データを、サーバ２０から第１通信部１１を介して取得する。
【００３２】
第２取得部１０２は、対象空間に設置された複数の照明機器３０の各々に対して、照明機器データを要求する。第２取得部１０２は、対象空間で設置された複数の照明機器３０のそれぞれから、当該照明機器３０の設置用位置情報、及び当該照明機器３０の設置用種別を含む照明機器データを取得する。
【００３３】
第３取得部１０３は、複数の設計用照明機器のうち少なくとも１つの設計用照明機器について、代替となる１つ以上の代替機器の種別を含む代替機器情報を、サーバ２０から第１通信部１１を介して取得する。さらに、第３取得部１０３は、設計用照明機器の代替となる代替機器に対応する制御データを、サーバ２０から第１通信部１１を介して取得する。
【００３４】
処理部１０４は、複数の設計用種別と複数の設置用種別とに基づいて、対象空間に設置された複数の照明機器３０のそれぞれの種別が正当であるか否かの判断を行う。さらに、処理部１０４は、複数の設計用位置情報と複数の設置用位置情報とに基づいて、対象空間に設置された複数の照明機器３０のそれぞれの設置位置が正当であるか否かの判断を行う。
【００３５】
処理部１０４は、設計データに含まれる複数の設計用種別と、対象空間に設置された複数の照明機器３０の各々から取得した設置用種別とが一致するか否かを判断する。処理部１０４は、対象空間に設置された複数の照明機器３０のそれぞれの種別が正当であると判断する。一致しないと判断する場合には、処理部１０４は、一致しない設計用種別に対応する１つ以上の代替種別をサーバ２０から取得するよう、第３取得部１０３に指示する。処理部１０４は、第３取得部１０３が取得した代替機器情報に含まれる１つ以上の代替種別のうち、対応する設計種別と一致しない設置用種別と一致する代替種別が存在するか否かを判断する。一致しない全ての設置用種別に対して代替種別が存在する場合には、処理部１０４は、対象空間に設置された複数の照明機器３０のそれぞれの種別が正当であると判断する。
【００３６】
処理部１０４は、対象空間に設けられた１つの照明機器３０（対象機器）について、照明機器データに含まれる通信対象である複数の他の照明機器３０ごとに、対応するＲＳＳＩの値を用いて各他の照明機器３０との距離を比較する。処理部１０４は、上記比較結果と、設計データに含まれる設計用位置情報を用いて、対象空間に設置された複数の照明機器３０のそれぞれの設置位置が正当であるか否かの判断を行う。具体的には、処理部１０４は、対象機器と、当該対象機器と同一空間に設置された複数の他の照明機器３０との各距離との比較結果が、ＲＳＳＩの値を用いた比較結果と一致するか否かを判断する。一致する場合には、処理部１０４は、対象空間に設置された複数の照明機器３０のそれぞれの設置位置が正当であると判断する。
【００３７】
処理部１０４は、複数の設計用種別の少なくとも一部を代替種別に置き換えることで対象空間に設置された複数の照明機器３０のそれぞれの種別が正当であると判断した場合には、代替種別に対応する照明機器３０を用いて、当該複数の照明機器３０のそれぞれの設置位置が正当あるか否かを判断する。具体的には、設計用位置情報について代替前の照明機器を、代替種別に対応する照明機器３０に置き換えた内容で、対象空間に設置された複数の照明機器３０のそれぞれの設置位置が正当であると判断する。
【００３８】
処理部１０４は、対象空間に設置された複数の照明機器３０のそれぞれの設置位置が正当であり、かつ複数の照明機器３０のそれぞれの種別が正当であると判断した場合には、対象空間に設置された複数の照明機器３０のそれぞれについて設定データを生成する。処理部１０４は、生成した設定データを、対応する照明機器３０に送信する。ここで、設定データは、対応する照明機器３０の種別、設置場所の名称及び制御データを含む。
【００３９】
処理部１０４は、対象空間に設置された複数の照明機器３０のうち代替種別の存在により複数の照明機器３０のそれぞれの種別が正当であると判断した場合には、代替種別に対応する制御データをサーバ２０から取得するように、第３取得部１０３に指示する。処理部１０４は、設計データ及び第３取得部１０３が取得した代替種別に対応する制御データを用いて、設定データを生成する。
【００４０】
通知部１０５は、処理部１０４の処理結果に関する結果情報を通知する。具体的には、通知部１０５は、対象空間に設置された複数の照明機器３０のうち少なくとも一部の設置位置が正当でない、又は対象空間に設置された複数の照明機器３０のうち少なくとも一部の種別が正当でないと処理部１０４が判断した場合には、設置に誤りがある旨のメッセージを情報端末４０に通知する。
【００４１】
（２−４）情報端末
情報端末４０は、例えばプロセッサ及びメモリを有するマイクロコンピュータを有している。そして、プロセッサがメモリに格納されているプログラムを実行することにより、マイクロコンピュータが情報端末４０として機能する。プロセッサが実行するプログラムは、ここではマイクロコンピュータのメモリに予め記録されているが、メモリカード等の非一時的な記録媒体に記録されて提供されてもよいし、インターネット等の電気通信回線を通じて提供されてもよい。
【００４２】
情報端末４０は、照明機器３０の施工時に施工業者が利用する端末であって、例えばスマートフォン、タブレット端末である。
【００４３】
情報端末４０は、ネットワークＮＴ１を介して管理装置１０と通信するための通信インタフェースを有している。
【００４４】
情報端末４０は、ネットワークＮＴ１を介して、管理装置１０から通知を受け取ると、受け取ったメッセージを情報端末４０の表示部に表示する。
【００４５】
（３）動作
ここでは、管理システム１としての管理装置１０の動作について、図３を用いて説明する。
【００４６】
第１取得部１０１は、設計データを、サーバ２０から取得する（ステップＳ１）。
【００４７】
第２取得部１０２は、対象空間に設置された複数の照明機器３０の各々に対して、照明機器データを要求する（ステップＳ２）。第２取得部１０２は、対象空間で設置された複数の照明機器３０のそれぞれから、照明機器データを取得する（ステップＳ３）。
【００４８】
処理部１０４は、照合処理を行う（ステップＳ４）。処理部１０４は、複数の設計用種別と複数の設置用種別とに基づいて、対象空間に設置された複数の照明機器３０のそれぞれの種別が正当であるか否かの判断を行う。さらに、処理部１０４は、複数の設計用位置情報と複数の設置用位置情報とに基づいて、対象空間に設置された複数の照明機器３０のそれぞれの設置位置が正当であるか否かの判断を行う。具体的には、処理部１０４は、設計データに含まれる複数の設計用種別と、対象空間に設置された複数の照明機器３０の各々から取得した設置用種別とが一致するか否かを判断する。さらに、処理部１０４は、対象空間に設けられた複数の照明機器３０の各々について、ＲＳＳＩの値を用いた各他の照明機器３０との距離比較の結果と、設計データに含まれる設計用位置情報を用いて設置位置が正当であるか否かの判断を行う。
【００４９】
処理部１０４は、照合処理の結果に基づいて、対象空間に設置された複数の照明機器３０のそれぞれの種別及び設置位置が正当であるかを判断する（ステップＳ５）。
【００５０】
対象空間に設置された複数の照明機器３０のそれぞれの種別及び設置位置が正当であると判断する場合（ステップＳ５における「ＹＥＳ」）、処理部１０４は、対象空間に設置された複数の照明機器３０のそれぞれに対して、設定データを生成する（ステップＳ６）。処理部１０４は、生成した複数の設定データを、それぞれ対応する照明機器３０に送信する（ステップＳ７）。
【００５１】
対象空間に設置された複数の照明機器３０のうち一部の種別又は設置位置が正当でないと判断する場合（ステップＳ５における「ＮＯ」）、処理部１０４は、対象空間に設置された複数の照明機器３０において、設定データに存在しない異機種が存在するか否かを判断する（ステップＳ８）。具体的には、処理部１０４は、複数の設置用種別のうち、複数の設計用種別のいずれにも一致しない設置用種別が存在するか否かを判断する。言い換えると、処理部１０４は、いずれの設置用種別とも一致しない設計用種別が存在するか否かを判断する。以下、複数の設計用種別のいずれにも一致しない設置用種別を「異機種の種別」という。
【００５２】
異機種が存在すると処理部１０４が判断する場合（ステップＳ８における「ＹＥＳ」）、第３取得部１０３は、複数の設計用照明機器のうち少なくとも１つの設計用照明機器について、１つ以上の代替機器の種別を含む代替機器情報を、サーバ２０から取得する（ステップＳ９）。具体的には、第３取得部１０３は、いずれの設置用種別とも一致しない設計用種別に対応する代替機器情報を、サーバ２０から取得する。
【００５３】
処理部１０４は、代替可能であるか否かを判断する（ステップＳ１０）。具体的には、処理部１０４は、第３取得部１０３が取得した代替機器情報に含まれる１つ以上の代替種別のうち、異機種の種別と一致する代替種別が存在するか否かを判断する。異機種の種別に対して代替種別が存在する場合には、処理部１０４は、対象空間に設置された複数の照明機器３０のそれぞれの種別が正当であると判断する。さらに、処理部１０４は、設計用位置情報について代替前の照明機器（設計用照明機器）を、代替種別に対応する照明機器３０に置き換えた内容で、対象空間に設置された複数の照明機器３０のそれぞれの設置位置が正当であると判断する。異機種の種別に対して代替種別が存在することで対象空間に設置された複数の照明機器３０のそれぞれの種別が正当であると判断し、かつ代替種別に対応する照明機器３０を用いて複数の照明機器３０のそれぞれの設置位置が正当あると判断した場合には、処理部１０４は、代替可能と判断する。異機種の種別に対して代替種別が存在しない、つまり複数の照明機器３０のうち少なくとも一部の種別が正当でないと判断した場合、又は複数の照明機器３０のうち少なくとも一部の設置位置が正当でないと判断した場合には、処理部１０４は、代替可能でないと判断する。
【００５４】
代替可能と処理部１０４が判断した場合には（ステップＳ１０における「ＹＥＳ」）、第３取得部１０３は、設計用照明機器の代替となる代替機器に対応する制御データを、サーバ２０から取得する（ステップＳ１１）。処理部１０４は、設計データ及び第３取得部１０３が取得した代替種別に対応する制御データを用いて、対象空間に設置された複数の照明機器３０のそれぞれの設定データを生成する（ステップＳ１２）。処理部１０４は、生成した複数の設定データを、それぞれ対応する照明機器３０に送信する（ステップＳ１３）。
【００５５】
異機種が存在しないと処理部１０４が判断する場合（ステップＳ８における「ＮＯ」）、通知部１０５は、設置に誤りがある旨のメッセージを情報端末４０に通知する（ステップＳ１４）。
【００５６】
代替可能でないと処理部１０４が判断する場合（ステップＳ１０における「ＮＯ」）、通知部１０５は、設置に誤りがある旨のメッセージを情報端末４０に通知する（ステップＳ１４）。
【００５７】
（４）具体例
ここでは、具体例を用いて、管理装置１０の動作について説明する。
【００５８】
図４Ａは、施設５に設置された照明機器３０の配置を示している。本具体例では、リビングを対象空間５１とし、対象空間５１に設置された照明機器３０ａ，３０ｂ，３０ｃの配置位置及び種別は正しいとする。
【００５９】
この場合、設計データに含まれる設計用位置情報では、照明機器３０ａと照明機器３０ｂとの距離“ａ１”、照明機器３０ａと照明機器３０ｃとの距離“ａ２”、照明機器３０ｂと照明機器３０ｃとの距離“ａ３”が含まれる。このとき、距離“ａ１”＝距離“ａ２”＜距離“ａ３”が成立している。さらに、設計データは、照明機器３０ａ，３０ｂ，３０ｃのそれぞれの種別（設計用種別）を含む。
【００６０】
管理装置１０の第１取得部１０１は、上述した設計データをサーバ２０から取得する。管理装置１０の第２取得部１０２は、対象空間５１に設置された複数の照明機器３０ａ，３０ｂ，３０ｃの各々に対して、照明機器データを要求する。第２取得部１０２は、照明機器３０ａ，３０ｂ，３０ｃの各々から照明機器データを取得する。
【００６１】
ここで、照明機器３０ａ，３０ｂ，３０ｃの各々の照明機器データは、対象空間５１に設置された他の照明機器３０との通信で計測されたＲＳＳＩの値、及び当該他の照明機器３０の種別を含む。例えば、照明機器３０ａの照明機器データは、照明機器３０ｂとの通信で計測されたＲＳＳＩの値“Ｒ１”と、照明機器３０ｂの種別との組、及び照明機器３０ｃとの通信で計測されたＲＳＳＩの値“Ｒ２”と、照明機器３０ｃの種別との組を含む。照明機器３０ｂの照明機器データは、照明機器３０ａとの通信で計測されたＲＳＳＩの値“Ｒ１１”と、照明機器３０ａの種別との組、及び照明機器３０ｃとの通信で計測されたＲＳＳＩの値“Ｒ１２”と、照明機器３０ｃの種別との組を含む。照明機器３０ｃの照明機器データは、照明機器３０ａとの通信で計測されたＲＳＳＩの値“Ｒ２１”と、照明機器３０ａの種別との組、及び照明機器３０ｂとの通信で計測されたＲＳＳＩの値“Ｒ２２”と、照明機器３０ｂの種別との組を含む。
【００６２】
また、照明機器３０ａ，３０ｂ，３０ｃの各々の位置関係により、ＲＳＳＩの値“Ｒ１”とＲＳＳＩの値“Ｒ１１”とは同一値であり、ＲＳＳＩの値“Ｒ２”とＲＳＳＩの値“Ｒ２１”とは同一値であり、ＲＳＳＩの値“Ｒ１２”とＲＳＳＩの値“Ｒ２２”とは同一値である。また、照明機器３０ａ，３０ｂ，３０ｃの各々の位置関係により、ＲＳＳＩの値Ｒ１（Ｒ１１）とＲＳＳＩの値Ｒ２（Ｒ２１）とはほぼ同一、つまり同一又は許容される誤差の範囲内である。さらに、ＲＳＳＩの値Ｒ１２（Ｒ２２）は、ＲＳＳＩの値Ｒ１（Ｒ１１）及びＲ２（Ｒ２１）よりも小さい。
【００６３】
管理装置１０の処理部１０４は、各ＲＳＳＩの値を比較して、照明機器３０ａと照明機器３０ｂとの距離と、照明機器３０ａと照明機器３０ｃとの距離とは、同一であること、及び照明機器３０ｂと照明機器３０ｃとの距離は、他の距離よりも長いことを特定する。
【００６４】
処理部１０４は、特定した結果（比較結果）と、設計データの設計用位置情報に含まれる各照明機器３０ａ，３０ｂ，３０ｃとの距離の関係を比較する。上述したように、距離“ａ１”＝距離“ａ２”＜距離“ａ３”が成立しているので、特定した結果と一致する。したがって、処理部１０４は、照明機器３０ａ，３０ｂ，３０ｃの配置位置は正当であると判断する。
【００６５】
また、対象空間５１に設置された照明機器３０ａ，３０ｂ，３０ｃの種別は正しいので、複数の設計用種別と複数の設定用種別とは一致する。したがって、処理部１０４は、照明機器３０ａ，３０ｂ，３０ｃの種別は正当であると判断する。
【００６６】
一方、図４Ｂに示すように、照明機器３０ａ、３０ｂ、３０ｃが対象空間５１に設置されているとする。
【００６７】
この場合、照明機器３０ａの照明機器データは、照明機器３０ｂとの通信で計測されたＲＳＳＩの値“Ｒ１”と、照明機器３０ｂの種別との組、及び照明機器３０ｃとの通信で計測されたＲＳＳＩの値“Ｒ２”と、照明機器３０ｃの種別との組を含む。照明機器３０ｂの照明機器データは、照明機器３０ａとの通信で計測されたＲＳＳＩの値“Ｒ１１”と、照明機器３０ａの種別との組、及び照明機器３０ｃとの通信で計測されたＲＳＳＩの値“Ｒ１２”と、照明機器３０ｃの種別との組を含む。照明機器３０ｃの照明機器データは、照明機器３０ａとの通信で計測されたＲＳＳＩの値“Ｒ２１”と、照明機器３０ａの種別との組、及び照明機器３０ｂとの通信で計測されたＲＳＳＩの値“Ｒ２２”と、照明機器３０ｂの種別との組を含む。
【００６８】
また、照明機器３０ａ，３０ｂ，３０ｃの各々の位置関係により、ＲＳＳＩの値“Ｒ１”とＲＳＳＩの値“Ｒ１１”とは同一値であり、ＲＳＳＩの値“Ｒ２”とＲＳＳＩの値“Ｒ２１”とは同一値であり、ＲＳＳＩの値“Ｒ１２”とＲＳＳＩの値“Ｒ２２”とは同一値である。また、照明機器３０ａ，３０ｂ，３０ｃの各々の位置関係により、ＲＳＳＩの値Ｒ１２（Ｒ２２）とＲＳＳＩの値Ｒ２（Ｒ２１）とはほぼ同一、つまり同一又は許容される誤差の範囲内である。さらに、ＲＳＳＩの値Ｒ１（Ｒ１１）は、ＲＳＳＩの値Ｒ１２（Ｒ２２）及びＲ２（Ｒ２１）よりも小さい。
【００６９】
処理部１０４は、各ＲＳＳＩの値を比較して、照明機器３０ａと照明機器３０ｃとの距離と、照明機器３０ｂと照明機器３０ｃとの距離とは、同一であること、及び照明機器３０ａと照明機器３０ｂとの距離は、他の距離よりも長いことを特定する。
【００７０】
処理部１０４は、特定した結果（比較結果）と、設計データの設計用位置情報に含まれる各照明機器３０ａ，３０ｂ，３０ｃとの距離の関係を比較する。上述したように、距離“ａ１”＝距離“ａ２”＜距離“ａ３”が成立しているので、特定した結果と一致しない。したがって、処理部１０４は、照明機器３０ａ，３０ｂ，３０ｃの配置位置は正当でないと判断する。
【００７１】
（５）利点
以上説明したように、本実施形態の管理装置１０は、対象空間に設置された複数の照明機器３０のそれぞれから設置用位置情報及び設置用種別を含む照明機器データを取得する。管理装置１０は、取得した複数の設置用位置情報に含まれるＲＳＳＩの値を基に、複数の照明機器３０の位置関係を特定し、複数の照明機器３０のそれぞれの設置位置が正当であるか否かの判断をしている。管理装置１０は、取得した複数の設置用種別を基に、対象空間に設置された複数の照明機器３０の種別が正当であるか否かの判断をしている。これにより、管理装置１０は、正しい照明機器３０が正しい位置に設置されているか否かを判断することができる。したがって、施工時の作業者は、照明機器３０の設置状況の確認を簡易に行うことができる。
【００７２】
また、施工時において、設計時に予定していた照明機器が何らかの理由で調達できず、他の照明機器で代替することがある。このとき、設計用種別と設置用種別とが一致しない。本実施形態では、このような場合、設計時に予定していた照明機器と代替可能な照明機器が代替機器として用いられているか否かを判断している。これにより、設計時に予定していた照明機器が何らかの理由で調達できなかった場合でも、代替可能な他の照明機器により正しく設置されているか否かを判断することができる。
【００７３】
（６）変形例
以下に、変形例について記載する。なお、以下に説明する変形例は、上記実施形態と適宜組み合わせて適用可能である。
【００７４】
（６−１）変形例１
上記実施形態では、複数の照明機器３０の設置位置及び種別が正当である場合、管理装置１０は、複数の照明機器３０に対して設定データを送信する構成としたが、この構成に限定されない。
【００７５】
管理装置１０は、複数の照明機器３０に対して設定データを送信しなくてもよい。この場合における本変形例の管理装置１０Ａについて、図５を用いて説明する。なお、実施形態と同一の構成要素には同一の符号を付して、その説明を適宜省略する。
【００７６】
管理装置１０Ａは、図５に示すように、第１通信部１１、第２通信部１２及び制御部１３Ａを備える。管理装置１０はＡ、例えばプロセッサ及びメモリを有するマイクロコンピュータを有している。そして、プロセッサがメモリに格納されているプログラムを実行することにより、マイクロコンピュータが管理装置１０Ａとして機能する。プロセッサが実行するプログラムは、ここではマイクロコンピュータのメモリに予め記録されているが、メモリカード等の非一時的な記録媒体に記録されて提供されてもよいし、インターネット等の電気通信回線を通じて提供されてもよい。
【００７７】
制御部１３Ａは、１取得部１０１、第２取得部１０２、第３取得部１０３、処理部１０４、通知部１０５及び機器制御部１０６を備える。
【００７８】
機器制御部１０６は、対象空間に設置された複数の照明機器３０のそれぞれに対応する設定データに含まれる制御データを用いて、各照明機器３０の制御を行う。
【００７９】
この構成により、管理装置１０は、複数の照明機器３０の制御データを一括して管理することができる。
【００８０】
また、実施形態１と変形例１とを組み合わせてもよい。例えば、管理装置１０Ａは、照明機器３０に対応する複数の制御データのうち一部の制御データを含む設定データを送信する。管理装置１０Ａは、残りの制御データを自装置が記憶し、残りの制御データを用いて照明機器３０の制御を行う。
【００８１】
（６−２）変形例２
上記実施形態において、複数の照明機器３０の設置位置の正当性を、照明機器３０間のＲＳＳＩの値を用いて行う構成としたが、この構成に限定されない。照明機器３０間のＲＳＳＩの値に加えて、複数の照明機器３０のそれぞれと管理装置１０との間の通信で計測されたＲＳＳＩの値を用いてもよい。
【００８２】
複数の照明機器３０のそれぞれと管理装置１０との間の通信で計測されたＲＳＳＩの値を、更に用いることで、複数の照明機器３０の設置位置の正当性の判断の精度を高めることができる。例えば、図４Ａに示す配置と、図４Ａにおいて照明機器３０ｂと照明機器３０ｃとを入れ替えた配置とでは、ＲＳＳＩの値を用いた比較結果では、同一の結果を得る。そこで、複数の照明機器３０のそれぞれと管理装置１０との間の通信で計測されたＲＳＳＩの値を用いることで、管理装置１０からの各照明機器３０までの距離の長短を特定することができる。そのため、複数の照明機器３０の設置位置の順序を特定することができる。その結果、複数の照明機器３０の設置位置の正当性の判断の精度を高めることができる。
【００８３】
（６−３）変形例３
照明機器３０間のＲＳＳＩの値に加えて、複数の照明機器３０のそれぞれと対象空間に設けられたスイッチとの間の通信で計測されたＲＳＳＩの値を用いてもよい。
【００８４】
この場合においても、変形例２と同様に、複数の照明機器３０の設置位置の順序を特定することができる。その結果、複数の照明機器３０の設置位置の正当性の判断の精度を高めることができる。
【００８５】
（６−４）変形例４
上記実施形態では、照明機器３０を設置の確認対象の機器として説明したが、確認対象の機器は照明機器３０に限定されない。設置対象の機器は、照明機器以外、例えば空調機器等であってもよい。
【００８６】
（６−５）変形例５
上記実施形態において、サーバ２０は、代替機器情報及び代替機器の制御データを設計データに含めて記憶してもよい。これにより、管理装置１０は、代替機器情報及び代替機器の制御データをサーバ２０に要求する必要がなくなる。
【００８７】
（その他の変形例）
上記実施形態は、本開示の様々な実施形態の一つに過ぎない。上記実施形態は、本開示の目的を達成できれば、設計等に応じて種々の変更が可能である。また、管理システム１と同様の機能は、管理方法、コンピュータプログラム、又はプログラムを記録した非一時的な記録媒体等で具現化されてもよい。一態様に係る管理方法は、第１取得ステップと、第２取得ステップと、処理ステップと、を含む。第１取得ステップは、対象空間５１に設置される複数の設計用機器（設計用照明機器）のそれぞれについて当該設計用機器の設置予定位置を表す設計用位置情報、及び複数の設計用機器のそれぞれの設計用種別を含む設計データを取得する。第２取得ステップは、対象空間５１で設置された複数の設置用機器（例えば、照明機器３０）のそれぞれから、当該設置用機器の設置用位置情報、及び当該設置用機器の設置用種別を含む照明機器データを取得する。処理ステップは、複数の設計用位置情報と複数の設置用位置情報とに基づいて複数の設置用機器のそれぞれの設置位置が正当である否かかの判断、及び複数の設計用種別と複数の設置用種別とに基づいて複数の設置用機器のそれぞれの種別が正当であるか否かの判断を行う。複数の設置用位置情報のそれぞれは、対応する設置用機器と通信可能な他の設置用機器に関する機器情報、及び対応する設置用機器と他の設置用機器との通信に関する通信情報を含む。一態様に係るプログラムは、コンピュータシステムを、上述した管理方法として機能させるためのプログラムである。
【００８８】
本開示における管理システム１又は管理方法の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示における管理システム１又は管理方法の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１又は複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００８９】
コンピュータシステムである管理システム１は、１又は複数のコンピュータで構成されるシステムであってもよい。例えば、管理システム１の少なくとも一部の機能は、クラウド（クラウドコンピューティング）によって実現されてもよい。
【００９０】
（まとめ）
以上説明したように、第１の態様の管理システム（１）は、第１取得部（１０１）と、第２取得部（１０２）と、処理部（１０４）と、を備える。第１取得部（１０１）は、設計データを取得する。設計データは、対象空間（５１）に設置される複数の設計用機器（例えば、設置前の照明機器３０）のそれぞれについて当該設計用機器の設置予定位置を表す設計用位置情報、及び複数の設計用機器のそれぞれの設計用種別を含む。第２取得部（１０２）は、照明機器データを取得する。照明機器データは、対象空間（５１）で設置された複数の設置用機器（例えば設置後の照明機器３０）のそれぞれから、当該設置用機器の設置用位置情報、及び当該設置用機器の設置用種別を含む。処理部（１０４）は、複数の設計用位置情報と複数の設置用位置情報とに基づいて複数の設置用機器のそれぞれの設置位置が正当であるか否かの判断、及び複数の設計用種別と複数の設置用種別とに基づいて複数の設置用機器のそれぞれの種別が正当であるか否かの判断を行う。複数の設置用位置情報のそれぞれは、対応する設置用機器と通信可能な他の設置用機器に関する機器情報、及び対応する設置用機器と他の設置用機器との通信に関する通信情報を含む。
【００９１】
この構成によると、管理装置（１０）は、複数の設計用位置情報と複数の設置用位置情報とを基に、複数の設置用機器の位置関係を特定し、複数の設置用機器のそれぞれの設置位置が正当であるか否かの判断をしている。管理装置（１０）は、複数の設計用種別と複数の設置用種別とを基に、対象空間に設置された複数の設置用機器の種別が正当であるか否かの判断をしている。これにより、管理装置（１０）は、正しい設置用機器が正しい位置に設置されているか否かを判断することができる。したがって、施工時の作業者は、機器の設置状況の確認を簡易に行うことができる。
【００９２】
第２の態様の管理システム（１）では、第１の態様において、通信情報は、他の設置用機器との通信時における受信信号強度である。処理部（１０４）は、受信信号強度に基づいて設置用機器と他の設置用機器との配置位置を決定する。設計用機器の設計用位置情報が表す設定予定位置と、決定した配置位置とに基づいて、設置用機器の設置位置の正当性を確認する。
【００９３】
この構成によると、受信信号強度に基づいて、複数の設置用機器のそれぞれの設置位置が正当であるか否かの判断を行うことができる。したがって、施工時の作業者は、機器の設置状況の確認を簡易に行うことができる。
【００９４】
第３の態様の管理システム（１）は、第１又は第２の態様において、複数の設計用機器のそれぞれに対して、当該設計用機器の代替となる１つ以上の代替機器の種別を取得する第３取得部（１０３）を、更に備える。処理部（１０４）は、設計用種別と設置用種別とが同一でない場合には、複数の設計用機器のうち設計用種別で表される設計用機器に対応する１つ以上の代替機器の種別のいずれか１つの代替機器の種別と設置用種別とが一致するときには、設置用種別は正当であると判断する。
【００９５】
この構成によると、設計時に予定していた機器の代わりに代替機器が設置された場合であっても、当該代替機器が正当な種別であり、かつ正しく設置されているか否かを判断することができる。
【００９６】
第４の態様の管理システム（１）では、第１〜第３のいずれかの態様において、設計データは、複数の設計用機器の各々について当該設計用機器を制御するための制御データを含む。処理部（１０４）は、複数の設置用機器のうち設置位置及び種別が正当であると判断された設置用機器に対して、設置用機器の設置位置及び種別が正当であるとの判断に用いられた設計用機器の制御データを取得する。処理部（１０４）は、取得した制御データを設置位置及び種別が正当であると判断された設置用機器に送信する。
【００９７】
この構成によると、正しい設置用機器が正しい位置に設置されていると判断した場合に、各設置用機器に制御データを送信することができる。
【００９８】
第５の態様の管理システム（１）は、第１〜第４のいずれかの態様において、機器制御部（１０６）を、更に備える。処理部（１０４）は、複数の設置用機器のうち設置位置及び種別が正当であると判断された設置用機器に対して、設置用機器の設置位置及び種別が正当であるとの判断に用いられた設計用機器の制御データを取得する。機器制御部（１０６）は、処理部（１０４）が取得した制御データを用いて、設置位置及び種別が正当であると判断された設置用機器を制御する。
【００９９】
この構成によると、正しい設置用機器が正しい位置に設置されていると判断した場合に、管理システム（１）は、各設置用機器を制御することができる。
【０１００】
第６の態様の管理システム（１）は、第１〜第５のいずれかの態様において、処理部（１０４）の処理結果に関する結果情報を通知する通知部（１０５）を、更に備える。
【０１０１】
この構成によると、管理システム（１）は、例えば施工時の作業者に設置状況の結果を通知することができる。
【０１０２】
第７の態様の設計管理システム（２）は、第１〜第６のいずれかの態様の管理システム（１）と、設計データを記憶するサーバ（２０）と、を備える。
【０１０３】
この構成によると、正しい設置用機器が正しい位置に設置されているか否かを判断することができる。したがって、施工時の作業者は、機器の設置状況の確認を簡易に行うことができる。
【０１０４】
第８の態様の管理方法は、第１取得ステップと、第２取得ステップと、処理ステップと、を含む。第１取得ステップは、設計データを取得する。設計データは、対象空間（５１）に設置される複数の設計用機器（例えば、設置前の照明機器３０）のそれぞれについて当該設計用機器の設置予定位置を表す設計用位置情報、及び複数の設計用機器のそれぞれの設計用種別を含む。第２取得ステップは、照明機器データを取得する。照明機器データは、対象空間（５１）で設置された複数の設置用機器（例えば設置後の照明機器３０）のそれぞれから、当該設置用機器の設置用位置情報、及び当該設置用機器の設置用種別を含む。処理ステップは、複数の設計用位置情報と複数の設置用位置情報とに基づいて複数の設置用機器のそれぞれの設置位置が正当であるか否かの判断、及び複数の設計用種別と複数の設置用種別とに基づいて複数の設置用機器のそれぞれの種別が正当であるか否かの判断を行う。複数の設置用位置情報のそれぞれは、対応する設置用機器と通信可能な他の設置用機器に関する機器情報、及び対応する設置用機器と他の設置用機器との通信に関する通信情報を含む。
【０１０５】
この管理方法によると、正しい設置用機器が正しい位置に設置されているか否かを判断することができる。したがって、施工時の作業者は、機器の設置状況の確認を簡易に行うことができる。
【０１０６】
第９の態様のプログラムは、コンピュータに、第８の態様の管理方法を実行させるためプログラムである。
【０１０７】
このプログラムによると、正しい設置用機器が正しい位置に設置されているか否かを判断することができる。したがって、施工時の作業者は、機器の設置状況の確認を簡易に行うことができる。
【符号の説明】
【０１０８】
１    管理システム
２    設計管理システム
１０    管理装置
３０，３０ａ，３０ｂ，３０ｃ  照明機器
５１    対象空間
１０１    第１取得部
１０２    第２取得部
１０３    第３取得部
１０４    処理部
１０５    通知部
１０６    機器制御部
【図１】
2020167090.tif 000003
【図２】
2020167090.tif 000004
【図３】
2020167090.tif 000005
【図４】
2020167090.tif 000006
【図５】
2020167090.tif 000007